(57)【要約】【課題】  Ｌ形突起が縦柱の９０度回転に配合され、弾力部品の十分な弾性変形によって、上蓋をあけるまでにすぐ９０度開けられるから、上蓋を勝手に振り切って、利用者に潜在な危害を当える可能性が除けるようにした上蓋と下蓋の連結構造を提供する。【解決手段】一下蓋と、当下蓋に合わせて活動的に連接される一上蓋と、を具備して、前記下蓋に回転軸に沿って並べられる複数のＬ形突起が設けられ、前記上蓋にＬ形突起を回って９０度回転されて且つ互いに配合される複数の縦柱が設けられて、前記上蓋と下蓋との間に少なくとも上蓋を活動的に開ける弾力部品が一つ設けられるようにした上蓋と下蓋の連結構造。【選択図】図１
0003181816.tif 000002
【実用新案登録請求の範囲】
【請求項１】
一下蓋と、当下蓋に合わせて活動的に連接される一上蓋と、を具備しておいては、前記下蓋に回転軸に沿って並べる複数のＬ形突起が設けられて、前記上蓋にＬ形突起を回って９０度回転されて互いに配合される複数の縦柱が設けられて、前記上蓋と下蓋との間に少なくとも上蓋を活動的に開ける一つの弾力部品が設けられることを特徴とする上蓋と下蓋の連結構造。
【請求項２】
前記回転軸が前記Ｌ形突起の短い辺部に設けられて、前記Ｌ形突起の短い辺部に位置する側面と底面を連接する連接部が円弧面に設けられて、前記縦柱が回転軸に沿ってそれぞれＬ形突起の短い辺部に位置する側面と円弧面と底面と互いに配合されることを特徴とする請求項１記載の上蓋と下蓋の連結構造。
【請求項３】
前記縦柱が前記Ｌ形突起の短い辺部に位置する底面にきつく配合されることを特徴とする請求項１記載の上蓋と下蓋の連結構造。
【請求項４】
前記円弧面の円心角度が９０度に設けられることを特徴とする請求項１記載の上蓋と下蓋の連結構造。
【請求項５】
前記Ｌ形突起の長い辺部の一端が下蓋に固定して連接されて、その長い辺部のもう一端が外方向に向いて延伸されてＬ形突起の短い辺部に構成されることを特徴とする請求項１或は２或は３或は４記載の上蓋と下蓋の連結構造。
【請求項６】
前記弾力部品が二つ隣接するＬ形突起の間に設置されることを特徴とする請求項５記載の上蓋と下蓋の連結構造。
【請求項７】
前記弾力部品が捻りばねに設けられて、前記捻りばねの回転軸が前記上蓋の回転軸と同軸に設けられて、且つ前記捻りばねの上ばね片が前記上蓋に頂け、前記捻りばねの下ばね片が前記下蓋に頂けることを特徴とする請求項６記載の上蓋と下蓋の連結構造。
【請求項８】
前記Ｌ形突起が二つに設けられて、前記縦柱が二つに設けられて、前記弾力部品が一つに設けられることを特徴とする請求項７記載の上蓋と下蓋の連結構造。
【考案の詳細な説明】
【技術分野】
【０００１】
本考案は上蓋と下蓋の連結構造に関連する。
【背景技術】
【０００２】
現在、市場で販売したコーヒーポットや電気ポットや魔法瓶などの上に使える上蓋と下蓋は通常に独立設置され、直接に下蓋の中から上蓋を取り出され、このように片手で上蓋を持って、片手でポット体又は瓶体を持って、使いにくい。或は、上蓋と下蓋との間に一つのスプリングが設けられ、スプリングの弾力性によって上蓋に開閉角度を与えて、上蓋を開けた時に、スプリングの弾力性の解放で上蓋と下蓋を分離させる。しかし、従来技術のコーヒー機には、弾性変形が大き過ぎたために、上蓋を勝手に振り切って、利用者に対して危害が潜在的に持てる。或は弾性変形が小さ過ぎたために、上蓋と下蓋との分離角度が足りなくて、利用者は手動の方式で、上蓋と下蓋を分離して適切な位置まで分離の角度を調整してから、コーヒー機が使える。
【考案の概要】
【考案が解決しようとする課題】
【０００３】
本考案は背景技術に存在した不足を克服するために、Ｌ形突起が縦柱の９０度回転に配合され、弾力部品の十分な弾性変形によって、上蓋をあけるまでにすぐ９０度開けられるから、上蓋を勝手に振り切って、利用者に潜在な危害を当える可能性が除けるようにした上蓋と下蓋の連結構造を提案している。
【課題を解決するための手段】
【０００４】
一下蓋と、当下蓋に合わせて活動的に連接される一上蓋と、を具備して、前記下蓋に回転軸に沿って並べる複数のＬ形突起が設けられ、前記上蓋にＬ形突起を回って９０度回転されて互いに配合される複数の縦柱が設けられて、前記上蓋と下蓋との間に少なくとも上蓋を活動的に開ける弾力部品が一つ設けられるようにした上蓋と下蓋の連結構造。
【０００５】
比較的に良い一実施例では、前記回転軸が前記Ｌ形突起の短い辺部に設けられて、前記Ｌ形突起の短い辺部に位置する側面と底面を連接する連接部が円弧面に設けられて、前記縦柱が回転軸に沿ってそれぞれＬ形突起の短い辺部に位置する側面と円弧面と底面と互いに配合される。
【０００６】
比較的に良い一実施例では、前記縦柱が前記Ｌ形突起の短い辺部に位置する底面にきつく配合される。
【０００７】
比較的に良い一実施例では、前記円弧面の円心角度が９０度に設けられる。
【０００８】
比較的に良い一実施例では、前記Ｌ形突起の長い辺部の一端が下蓋に固定して連接されて、その長い辺部のもう一端が外方向に向いて延伸されてＬ形突起の短い辺部に構成される。
【０００９】
比較的に良い一実施例では、前記弾力部品が二つ隣接するＬ形突起の間に設置される。
【００１０】
比較的に良い一実施例では、前記弾力部品が捻りばねに設けられて、前記捻りばねの回転軸が前記上蓋の回転軸と同軸に設けられて、且つ前記捻りばねの上ばね片が上蓋に頂け、前記捻りばねの下ばね片が下蓋に頂ける。
【００１１】
比較的に良い一実施例では、前記Ｌ形突起が二つに設けられて、前記縦柱が二つに設けられて、前記弾力部品が一つ設けられる。
【考案の効果】
【００１２】
本考案は背景技術に比べて以下の優れた点を得る。
【００１３】
第一に、Ｌ形突起が縦柱の９０度回転に配合され、弾力部品によって十分な弾性を変形させ、上蓋を開けるまでにすぐ９０度開けられるから、上蓋を勝手に振り切って、利用者に潜在な危害を当える可能性が除ける。
【００１４】
第二に、Ｌ形突起の短い辺部に位置する側面と底面を連結する連接部が円弧面に設けられて、縦柱が円滑に移行され、上蓋が開く時間を減っている。
【００１５】
第三に、縦柱がＬ形突起の短い辺部の底面にきつく配合されて、上蓋を９０度まで開ける時にリミットして、弾力部品のせいで上蓋の不安定に与える揺れが防止される。
【００１６】
第四に、円弧面の円心角度が９０度に設けられて、上蓋を９０度に開けた状態で縦柱がＬ形突起の短い辺部に位置する外底面にちょうど配合される。
【図面の簡単な説明】
【００１７】
【図１】一実施例の上蓋と下蓋の連結構造の立体を示す図である。
【図２】一実施例の上蓋と下蓋の連結構造の閉鎖状態を示す図である。
【図３】一実施例の上蓋と下蓋の連結構造の開く状態を示す図である。
【図４】一実施例の上蓋と下蓋の連結構造の最大的に開く状態を示す図である。
【考案を実施するための形態】
【００１８】
以下には、図を見ながら本考案を実施するための形態を説明しようとする。
【００１９】
図１から図４までを参照のこと。比較的に良い一実施例では、一上蓋１０と一下蓋２０を具備して、前記上蓋１０が下蓋２０に合わせて活動的に連接される。
【００２０】
前記下蓋２０に回転軸２３に沿って並んだ複数のＬ形突起２１が設けられて、前記回転軸２３が前記Ｌ形突起２１の短い辺部に設けられて、前記Ｌ形突起２１に位置する側面２１２と底面２１３を連接する連接部が円弧面２１１に設けられる。最も良くて、前記円弧面２１１の円心角度が９０度に設けられる。前記短い辺部の中心に回転軸２３に連接されるスルーホール２２が設けられて、前記回転軸２３が当スルーホール２２を通して前記Ｌ形突起２１の短い辺部に固定して連接される。前記Ｌ形突起２１の長い辺部の一端が下蓋２０に固定して連接されて、その長い辺部のもう一端が外方向に向いて延伸されてＬ形突起２１の短い辺部に構成される。本考案の実施例で、前記Ｌ形突起２１が二つ設けられる。
【００２１】
前記上蓋１０がＬ形突起２１を回って９０度回転されて互いに配合される複数の縦柱１１が設けられて、且つ前記縦柱１１が回転軸２３を回ってそれぞれＬ形突起２１の短い辺部に位置する側面２１２と円弧面２１１と底面２１３に配合される。最も良くて、前記縦柱１１がＬ形突起２の短い辺部に位置する底面２１３にきつく配合される。本考案の実施例で、前記縦柱１１が二つ設けられる。
【００２２】
前記上蓋１０と下蓋２０との間に少なくとも一つの弾力部品が設けられ、前記弾力部品が二つ隣接するＬ形突起２１の間に設置される。本考案の実施例で、前記弾力部品が一つ設けられる。最も良くて、前記弾力部品が捻りばね３０に設けられて、前記捻りばね３０が回転軸２３と同軸に回転して連接されて、且つその上ばね片が上蓋１０に頂け、その下ばね片が下蓋２０に頂けて、前記上蓋１０が閉鎖される場合に捻りばね３０が圧縮状態に設計され、上蓋１０に外力を与えると、捻りばね３０が弾性変形によって早速に開ける角度を上蓋１０に与えて、本考案の実施例で、Ｌ形突起２１が縦柱１１と配合されて設けられるために、前記上蓋１０の開け角が９０度に設けられて、この時、前記縦柱１１がＬ形突起２の短い辺部に位置する外底面にちょうどきつく配合されて、上蓋１０を９０度に開けるリミットが実現されるから、上蓋１０を勝手に振り切って、利用者に潜在な危害を当える可能性が除ける。使用終了で、ただ上蓋１０に外力を加えて捻りばね３０が上蓋と下蓋との間に圧縮されて、上蓋と下蓋との間に設置される噛み合い継ぎ手によって両者を一緒に噛み合っている。
【００２３】
本考案が保護したい上蓋と下蓋の連結構造はコーヒーポットや焼き器や炊飯器や電気ポットや魔法瓶などの上下蓋の接続に適用されて、使用範囲が広い。
【００２４】
以上で述べたのはわずか本考案の比較的に良い一実施の形態だけである。しかし、本考案のデザインアイディアはこれに限定されるものではなく、すなわち、本考案のアイディアに基づいて変形させることが可能であり、それらは本考案の範囲から排除するものではない。
【符号の説明】
【００２５】
１０  上蓋
１１  縦柱
２０  下蓋
２１  Ｌ形突起
２２  スルーホール
２３  回転軸
３０  捻りばね
【図１】
0003181816.tif 000003
【図２】
0003181816.tif 000004
【図３】
0003181816.tif 000005
【図４】
0003181816.tif 000006